【事件の表示】
　特願２００２−　３０９７７「測距装置」拒絶査定不服審判事件〔平成１５年　８月２２日出願公開、特開２００３−２３２６２７〕について、次のとおり審決する。
【結　論】
　本件審判の請求は、成り立たない。
【理　由】
１　手続の経緯
　本願は、平成１４年２月７日の出願であって、平成１９年４月９日付けで明細書又は図面についての手続補正（以下、「補正１」という。）がなされ、同年７月２４日付け（送達日：同年同月２６日）で拒絶査定がなされ、これに対し、同年８月２２日に拒絶査定不服審判の請求がなされるとともに、同年９月１８日付けで手続補正（以下、「本件補正」という。）がなされたものである。
　
２　本件補正についての補正却下の決定
　
［補正却下の決定の結論］
　
　本件補正を却下する。
　
［理由］独立特許要件違反
　
（１）補正の内容・補正の適否
　本件補正により、本件補正前の請求項２は、
「　　【請求項２】複数の受光素子からなる一対のラインセンサに測距対象物からの光を結像させ、各受光素子から得られた信号を各受光素子ごとに積分して一対のセンサデータを生成するＡＦセンサと、
　前記ＡＦセンサによって生成された一対のセンサデータを前記ＡＦセンサから取得し、該取得した一対のセンサデータに基づいて前記ラインセンサにより撮像したセンサ像のコントラストを示す測距演算用の一対のＡＦデータを生成すると共に、該ＡＦデータに基づいて測距対象物の距離を算出する演算処理回路と、を備えた測距装置において、
　前記演算処理回路は、前記ＡＦセンサから順次取得したセンサデータを一時的にメモリに格納し、該メモリに格納したセンサデータに基づいてＡＦデータを生成すると、該生成したＡＦデータ以外のＡＦデータの生成に不要なセンサデータが格納されていたメモリに、該生成したＡＦデータ以外のＡＦデータを生成するために必要なセンサデータを格納することを特徴とする測距装置。」から、
　
「【請求項２】
　複数の受光素子からなる一対のラインセンサに測距対象物からの光を結像させ、各受光素子から得られた信号を各受光素子ごとに積分して一対のセンサデータを生成するＡＦセンサと、
　前記ＡＦセンサによって生成された一対のセンサデータを前記ＡＦセンサから取得し、該取得した一対のセンサデータに基づいて前記ラインセンサにより撮像したセンサ像のコントラストを示す測距演算用の一対のＡＦデータを生成すると共に、該ＡＦデータに基づいて測距対象物の距離を算出する演算処理回路と、を備えた測距装置において、
　前記演算処理回路は、前記ＡＦセンサから順次取得したセンサデータを一時的にメモリに格納し、該メモリに格納したセンサデータに基づいてＡＦデータを
所定画素分離間したセンサデータの差分として
に補正された。
　
　そして、この補正は、メモリに格納したセンサデータに基づくＡＦデータの生成に対し、「所定画素分離間したセンサデータの差分として」生成する、との限定事項を付加することにより、補正前の発明特定事項を限定するものである。
　
　したがって、この補正は、特許請求の範囲の減縮を目的とするものに該当する。
　
　そこで、本件補正後の請求項２に係る発明（以下、「本願補正発明」という。）が特許出願の際独立して特許を受けることができるものであるか否かについて検討する。
　
（２）引用刊行物１に記載された事項・引用発明
　原査定の拒絶の理由に引用され、本願の出願前に頒布された刊行物である、特開平９−２６４７４２号公報（以下、「引用刊行物１」という。）には、「距離測定装置及び安全走行システム」（発明の名称）に関して、次の事項が図面とともに記載されている。
　
＜記載事項１＞
「【０００２】
【従来の技術】位相差相関法を用いて視野内にある被検知物体までの距離を計測する従来の距離測定装置１の概略構成を図１に示し、その光学的な構成を図２に示す。
この距離測定装置１はフォトダイオード（ＰＤ）等の低解像度の光検出器４ａ、４ｂを用いたものであって、図2に示すように、等しい焦点距離ｆを有する第１の受光レンズ２ａと第2の受光レンズ２ｂとが一定の基線長Ｑ（第１及び第２の受光レンズ２ａ、２ｂの光軸３ａ，３ｂ間の間隔）だけ隔てて配置されており、第１及び第２の受光レンズ２ａ，２ｂから焦点距離ｆだけ離れた位置にはそれぞれ第１及び第２の光検出器４ａ，４ｂが配置されている。」
　
＜記載事項２＞
「【０００３】しかして、この位相差相関法による距離測定装置１にあっては、自然光あるいは投光素子（図示せず）から出射された光が、被検知物体ＯＢＪの表面で反射拡散されると、その反射光ｒは、第１の受光レンズ２ａを通過する第１の光路を通って第１の光検出器４ａに入射し、同時に第２の受光レンズ２ｂを通過する第２の光路を通って第２の光検出器４ｂに入射する。第１及び第２の光検出器４ａ，４ｂからマイクロプロセッサ（ＣＰＵ）６へは、受光した光の光強度分布が画像情報として出力される。そして、マイクロプロセッサ６においては、第１の光検出器４ａから供給される画像５ａと第２の光検出器４ｂから供給される画像５ｂの重心位置のずれ量Ｄが計算される。このずれ量Ｄは図２のＸ1＋Ｘ2に相当する。そして、被検知物体ＯＢＪまでの距離Ｌは、画像５ａ，５ｂどうしの重心位置のずれ量の値Ｄ＝Ｘ1＋Ｘ2を用い、三角法に基づいて次の（１）（当審注：引用刊行物１では、丸付き数字。）式のように求められる。
Ｌ＝Ｑ・ｆ／Ｄ　　　…（１）（当審注：引用刊行物１では、丸付き数字）
これらの演算がマイクロプロセッサ６によって実行されると、図１に示すように、その結果は出力回路７を介して距離データとして出力される。」
　
＜記載事項３＞
「【０００４】上記（１）（当審注：引用刊行物１では、丸付き数字。）式すなわち画像のずれ量Ｄに基づいて被検知物体ＯＢＪまでの距離Ｌを求める原理を図３により説明する。いま、被検知物体ＯＢＪが、第１及び第２の受光レンズ２ａ，２ｂの中心面Ｈから距離Ｌ、第２の受光レンズ２ｂの光軸３ｂからｑの点に位置しているとき、第１の光検出器４ａでは第１の受光レンズ２ａの光軸３ａに対応する位置を基準とする横座標Ｘ1に被検知物体ＯＢＪの画像５ａ（重心位置）が生じ、第２の光検出器４ｂでは第２の受光レンズ２ｂの光軸３ｂに対応する位置を基準とする横座標Ｘ2に被検知物体ＯＢＪの画像５ｂ（重心位置）が生じているとすると、図３から分かるように、これらの間には、次式のような関係がある。
Ｑーｑ＝（Ｌ／ｆ）Ｘ1　
ｑ＝（Ｌ／ｆ）Ｘ2　
この２式からｑを消去し、Ｘ1＋Ｘ2＝Ｄとすると、上記（１）（当審注：引用刊行物１では、丸付き数字。）式が得られる。よって、このように２つの光検出器４ａ，４ｂを用いれば、被検知物体ＯＢＪが視野内の任意の位置にあっても、（１）（当審注：引用刊行物１では、丸付き数字。）式により被検知物体ＯＢＪまでの距離Ｌを正確に求めることができることが分かる。」
　
＜記載事項４＞
「【００４１】
【発明の実施の形態】
（第1の実施形態）図９は本発明の一実施形態による距離測定装置２１の構成を示すブロック図である。２２ａ，２２ｂは被検知物体で反射散乱された光を光検出器２３ａ，２３ｂの受光面に結像させるためのレンズである。２３ａ，２３ｂはフォトダイオード等の低解像度の光検出器であって、多数の画素を有しており、各画素毎に光強度を示す信号（画像信号）を出力している。２４は一方の光検出器、例えば右側の光検出器２３ｂに生成した画像を画素配列方向で１画素分ずつ順次ずらせて出力する画像シフト処理部であって、画素配列方向にシフト処理した画像を一致判定部２５へ出力し、そのときの画像のずらし数Ｎを相関演算部２６へ出力する。２５は光検出器２３ｂから出力され画像シフト処理部２４で順次ずらされた画像と光検出器２３ａから出力された画像とを比較し、両画像の一致度の高い領域（画素領域）を判定する一致度判定部である。よって、画像シフト処理部２４及び一致度判定部２５は、一方の画像を他方の画像に対して１画素ずつシフトさせ、一致度の高い領域を判別する。２６は一致度判定部２５からの判定情報と画像シフト処理部２４から送信される画像ずらし数Ｎとから被検知物体までの距離を求める相関演算部である。２７は相関演算部で求められた被検知物体までの距離を距離データとして出力する出力回路である。」
　
＜記載事項５＞
「【００５４】（第３の実施形態）図１４は本発明のさらに別な実施形態により距離測定装置の構成を示す図である。この距離測定装置２８にあっては、左右の光検出器２３ａ，２３ｂから出力された画像信号ＧＬ，ＧＲを微分回路２９ａ，２９ｂにより微分した後、その微分画像信号に基づいて第１の実施形態と同様にして距離データを求める。すなわち、左右の光検出器２３ａ，２３ｂで図１５（ａ）（ｂ）に示すような画像ＧＬ，ＧＲが得られたとすると、各微分回路２９ａ，２９ｂは、左画像ＧＬ及び右画像ＧＲを微分して図１５（ｃ）（ｄ）のような微分画像ＤＧＬ、ＤＧＲを出力する。画像シフト処理部２４は、微分回路２９ｂから受信した右画像ＧＲの微分画像ＤＧＲを１画素分ずつずらし、一致度判定部２５は、画像シフト処理部２４から受信した微分画像ＤＧＲと微分回路２９ａから受信した左画像ＧＬの微分画像ＤＧＬとの一致度の高い領域を求める。そして、一致度の高い領域が存在していると判定すると、相関演算部２６はそのときの画像ずらし数Ｎからずれ量Ｄを求め、被検知物体の距離Ｌを演算して出力する。なお、この微分画像は被検知物体のエッジ部分（両端の部分）を示すものである。」
　
＜記載事項６＞
「【００５５】この実施形態にあっては、一致度判定部２５では、左右画像ＧＬ、ＧＲを微分した微分画像ＤＧＬ，ＤＧＲ（光強度の微分値）の差分の絶対値が所定値以下であるか否かを判定するので、左右の受光光学系のずれ等の影響により、左右の光検出器２３ａ，２３ｂにおける光強度分布が違う場合でも、画像の変化特性だけを比較して一致度を検定することができ、一致度の判定精度を高めることができる。」
　
　そして、上記記載事項１ないし６、及び、図１、２、９、１４、１５から、以下の（ア）および（イ）の事項を読み取ることができる。
　
・記載事項４、及び、図１、９から、光検出器２３ａ、２３ｂが有する多数の画素が、画素配列方向を有していることから、
（ア）光検出器２３ａ、２３ｂが有する多数の画素は、一列に配列されている点。
　
・記載事項５、６及び図１４、１５から、被検知物体までの距離を求めるための手段として、画像信号ＧＬ、ＧＲを微分した微分画像信号ＤＧＬ、ＤＧＲを用いてそのずれ量を求め、該ずれ量を画像のずれ量Ｄとして用いて被検知物体までの距離を求める手段が示唆されていることから、
（イ）微分画像信号ＤＧＬ、ＤＧＲに基づいて、画像ＧＬ、ＧＲどうしのずれ量Ｄを算出し、該ずれ量Ｄに基づいて被検知物体までの距離を求める点。
　
　したがって、上記記載事項１ないし６、及び、図１、２、９、１４、１５に基づけば、引用刊行物１には、
「一列に配列された多数の画素を有する左右の光検出器２３ａ、２３ｂに被検知物体で反射散乱された光を結像させ、各画素から画像信号ＧＬ、ＧＲを出力する光検出器２３ａ、２３ｂと、
　前記光検出器２３ａ、２３ｂから出力された画像信号ＧＬ、ＧＲを前記光検出器２３ａ、２３ｂから得て、該画像信号ＧＬ、ＧＲを微分して、被検知物体のエッジ部分を示す被検知物体までの距離を求めるための微分画像信号ＤＧＬ、ＤＧＲを出力すると共に、該微分画像信号ＤＧＬ、ＤＧＲに基づいて画像ＧＬ、ＧＲどうしのずれ量Ｄを算出して、該ずれ量Ｄに基づいて被検知物体までの距離を距離データとして求める相関演算部２６と、を備えた距離測定装置２８。」の発明（以下、「引用発明１」という。）が記載されている。
　
（３）引用刊行物２に記載された事項・引用発明
　また、同じく原査定の拒絶の理由に引用され、かつ、本願明細書においても従来技術として引用された、本願の出願前に頒布された刊行物である、特公平６−９３０５９号公報（以下、「引用刊行物２」という。）には、「焦点検出装置」（発明の名称）に関して、次の事項が図面とともに記載されている。
　
＜記載事項７＞
「技術分野
本発明は、撮影レンズを通過した被写体光を受光して撮影レンズの合焦状態を検出するカメラの焦点検出装置に関する。」（第１ページ右下欄第１０〜１３行）
　
＜記載事項８＞
「従来技術
光軸に対して互いに対称な関係にある撮影レンズの第１と第２の領域のそれぞれを通過した被写体光束をそれぞれ再結像させて二つの像をつくり、この二つの像の相互位置関係を求めて、結像位置の予定焦点位置からのずれ量およびその方向（結像位置が予定焦点位置の前側か、後側か、即ち前ピンか後ピンか）を得るようにした焦点検出装置がすでに提案されている。このような焦点検出装置の光学系は、第１図に示すような構成となっており、この光学系は撮影レンズ（２）の後方の予定焦点面（４）あるいはこの面からさらに後方の位置にコンデンサレンズ（６）を有し、さらにその後方に再結像レンズ（８），（10）を有し、各再結像レンズの結像面には例えばCCDを受光素子として有するラインセンサ（12），（14）を配してある。」（第１ページ右下欄第１４行〜第２ページ左欄第１３行）
　
＜記載事項９＞
「即ち、第３図において、センサ（12），（14）のそれぞれは例えば10個および16個のホトダイオードのセルa1〜a10，b1〜b16からなっている。」（第２ページ左欄第２４〜２６行）
　
＜記載事項１０＞
「要旨
この目的を達成するため、本発明においては、二つのセンサの出力パターンを直接的に比較するようにした従来の方法に代えて、各センサの出力信号について各出力信号からその信号の位相を所定量だけ所定方向へシフトした信号をつくり、このシフトした信号とシフト前の元の信号との間の差に応じた信号を求め、こうして求めた各センサの出力信号に対応する二つの差信号を相互に比較することにより二つの像の間隔を検出すると共に、これら各センサ毎の二次信号の相関を求める際に、第１の像に対応する二次信号を複数のブロックに分割し、分割された各ブロックにおいてブロック分けされた第１の像に対応する二次信号と第２の像に対応する二次信号との比較を行い相関を求めるようにしたことを要旨とする。本発明の実施例では、二つのセンサとして一つに連なったCCDを用い、このCCDから時系列的に出力される光電変換信号を遅延回路を介して所定画素対応の信号分だけ遅延せしめ、この遅延回路を通過した信号と通過しない信号とを減算回路に与えて差信号を得るようにしている。」（第３ページ左欄第６〜２３行）
　
＜記載事項１１＞
「さて、CCD（22）からは、例えば、L1, L2, ・・・L28, R1, R2, ・・・R30の順番で積分出力が送り出される。実際には、出力L1の左側、出力L28とR1との間、出力R30の右側にも使用されないセルの部分が存在する。第６図に戻って、上述のように送出されるCCDの出力信号は、直接に減算回路（24）の入力（26）に与えられるとともに、遅延回路（30）を介して減算回路（24）のもう一方の入力（28）に与えられる。遅延回路（30）は、例えば、CCDを用いることができ出力４画素分の遅延を行う。減算回路（24）は、入力（26）の信号Snから入力（28）の信号Sdを減ずる。
第17図（ａ）には、基準部についての信号SnとSdとを例示してあり、第17図（ｂ）には第17図（ａ）の信号Sn,Sdについての減算・出力（Sn−Sd）を示してある。基準部の信号についての第1番目の減算出力はl1＝L5−L1で示され、最後の減算出力はl24＝L28−L24で示される。
かくて、４画素分の遅延出力と組み合わせて減算出力を得る場合は、28個のセル出力に対してそれよりも４個少ない24個の減算出力が得られる。同様にして参照部からのセル30個分の積分出力に対して26個の減算出力が得られる。これら減算出力は順次にアナログ・デジタル変換回路（32）によりデジタル値に変換され、次いでメモリ（34）に貯えられる。すべての減算出力が得られると相関回路（36）によりメモリ（34）のデータを用いて撮影レンズのずれ量を求める計算が行われる。以後、上記の減算出力を２次出力といい、その波形を第2次像という。」（第３ページ右欄第１１〜３７行）
　
＜記載事項１２＞
「第7図は、本発明の他の実施例を示すブロック図で、CCD（22）からの積分出力はまずアナログ・デジタル変換回路（38）によりデジタル値に変換され、次いで変換されたデジタル値は直接に減算回路（42）の入力（44）に与えられるとともに、遅延回路（40）を介して減算回路（42）のもう一方の入力（46）に与えられる。減算回路（42）の出力はメモリ（34）に貯えられる。尚、遅延回路（40）および減算回路（42）はデジタル回路で構成されるが、それぞれは第6図における遅延回路（30）と減算回路（28）と目的する機能は同じであり、メモリ（34）以後における信号処理は第６図の場合同じである。」（第３ページ右欄第３８〜４９行）
　
＜記載事項１３＞
「次に、メモリ（34）のデータを用いたずれ量の計算のためのデータ処理について説明するが、…」（第３ページ右欄第５０行〜第４ページ左欄第１行）
　
＜記載事項１４＞
「（３）式が示すように、センサ上における像のシフト量ｅが分かると合焦位置からの像のずれ量ｄを算出することができる。」（第４ページ左欄第３１〜３３行）
　
＜記載事項１５＞
「次に、第12図について説明する。第12図においてCCD（22）からメモリ（34）までの構成は第7図のものと同一である。メモリ（34）には、二次出力l1〜l24，γ1〜γ26が格納される。」（第５ページ右欄第１４〜１７行）
　
＜記載事項１６＞
「尚、一般的には、像のコントラストは異なる二つの特定領域における像の明るさの差を示すものとして扱われ、例えば隣り合うセルの出力の差がコントラストを示す信号として用いられる。」（第６ページ左欄第２３〜２６行）
　
＜記載事項１７＞
「尚、二つのセル出力の差をコントラスト信号として用いても勿論よいが、」（第６ページ右欄第１５〜１６行）
　
＜記載事項１８＞
「尚、この三つの比較出力は、その他の比較出力を含めて回路ブロック（72）で算出されるのであるが、システムのメモリ数を節約するために各信号ブロックの最小比較出力以外のものは放棄している。」（第７ページ右欄第２２〜２６行）
　
＜記載事項１９＞
「第16図は、第12図に示す本発明によるピント検出装置の回路をマイクロコンピュータを用いて実現した場合の構成を示すブロック図である。……。マイクロコンピュータを利用すると、第12図に示す回路ブロックのうちＡ−Ｄ変換回路（38）の構成の一部およびその後段の部分は全てマイクロコンピュータ（96）による構成部分となる。」（第９ページ左欄第２〜１１行）
　
　そして、上記記載事項７ないし１９及び第１、３、７、８、１０、１２、１６図から、以下の（カ）ないし（ス）の事項を読み取ることができる。
　
・記載事項７、８、９及び第１、３図から、
（カ）一対のラインセンサ１２、１４が、複数のホトダイオードのセルから形成されている点。
（キ）被写体光が、ラインセンサ１２、１４それぞれに結像される点。
　また、ラインセンサ１２、１４が、出力信号が積分出力であるＣＣＤを受光素子として有することから、
（ク）ラインセンサ１２、１４は、各ホトダイオードから得られたＣＣＤの一対の積分出力を生成する点。
　
・記載事項１０、１１、１２、１５、１９及び第７、１２、１６図から、減算回路４２は、マイクロコンピュータ９６で実現できることから、
（ケ）マイクロコンピュータ９６が、ラインセンサ１２、１４それぞれにおける各セルからの積分出力と該積分出力を遅延させた遅延データとに基づいて、ラインセンサ１２、１４それぞれにおける４画素分離間したセルの減算出力を一対得る点。
　
・記載事項１６、１７には、像のコントラストは異なる二つの特定領域における像の明るさの差を示すものである旨と、二つのセル出力の差をコントラスト信号として用いることができる旨記載されており、そして、ラインセンサ１２、１４の４画素分離間したセルもまた、異なる二つの領域であることから、
（コ）ラインセンサ１２、１４の４画素分離間したセルのそれぞれの減算出力は、ラインセンサ１２、１４上における像それぞれのコントラストを示す出力となり得る点。
　
・記載事項１０、１１、１２、１４、１５、１９及び第７、１２、１６図から、二つの差信号を相互に比較することにより二つの像の間隔を検出する点、相関回路３６によりメモリのデータを用いて撮影レンズのずれ量を求める計算が行われる点、及び、レンズのずれ量はセンサ上における像のシフト量ｅから計算する点が開示されており、そして、これらの点は、いずれもマイクロコンピュータ９６で実現できる旨、示唆されているから、
（サ）マイクロコンピュータ９６が、ラインセンサ１２、１４の差信号、すなわち、ラインセンサ１２、１４の減算出力を相互に比較することにより、ラインセンサ１２、１４にそれぞれ結像される二つの像の間隔、すなわち、センサ上における像のシフト量ｅを求める点。
　また、レンズのすれ量は、いわゆる距離であることから、
（シ）マイクロコンピュータ９６が、センサ上における像のシフト量ｅから、撮影レンズのずれ量という距離を求める点。
　
・記載事項１２、１５、１９及び第７、１２、１６図から、引用刊行物２には、遅延回路４０、減算回路４２及び相関回路３６をマイクロコンピュータ９６で実現することができる旨、開示されている。そして、マイクロコンピュータで遅延回路と同等の処理を実現する際には、遅延させるべきデータ（以下、「遅延データ」という。）を一時的に格納するためにバッファメモリが必要であることは明らかである。さらに、バッファメモリの利用方法として、一時的に格納した遅延データが不要となったら、該遅延データを格納していたバッファメモリの領域を開放した上で新たな遅延データの格納のために使用することは、バッファメモリの利用方法として技術常識であることから、
（ス）マイクロコンピュータ９６が、ラインセンサ１２、１４から順次取得した積分出力を一時的にマイクロコンピュータ９６のバッファメモリに遅延データとして格納し、該バッファメモリに格納した遅延データに基づいて、減算出力を４画素分離間したセルの減算出力として生成すると、減算出力の生成に不要となった遅延データが格納されていたバッファメモリに、新たな遅延データを格納する点。
　
　したがって、上記記載事項７ないし１９及び第１、３、７、８、１０、１２、１６図に基づけば、引用刊行物２には、
　
　複数のホトダイオードからなる一対のラインセンサ１２、１４に被写体光を結像させ、各ホトダイオードから得られたＣＣＤの一対の積分出力を生成するラインセンサ１２、１４と、
　前記ラインセンサ１２、１４によって生成された一対の積分出力を前記ラインセンサ１２、１４から取得し、該取得した一対の積分出力に基づいて、撮影レンズのずれ量を求めるための一対の減算出力を得ると共に、該一対の減算出力に基づいて演算したセンサ上の像のシフト量ｅから、撮影レンズのずれ量という距離を求めるマイクロコンピュータ９６と、
を備えた、撮影レンズのずれ量という距離を求める焦点検出装置において、
　該マイクロコンピュータ９６が、
「撮影レンズのずれ量という距離を求めるためのセンサ上の像のシフト量ｅを求める手段であって、
　該手段に用いられる出力が、ラインセンサ１２、１４上におけるそれぞれの像のコントラストを示す、撮影レンズのずれ量を求めるための一対の減算出力として得られるものであり、
　前記一対の減算出力を得る手順としては、前記ラインセンサ１２、１４から順次取得した積分出力を一時的にマイクロコンピュータ９６のバッファメモリに遅延データとして格納し、該バッファメモリに格納した遅延データに基づいて、減算出力を４画素分離間したセルの減算出力として生成すると、減算出力の生成に不要となった遅延データが格納されていたバッファメモリに、新たな遅延データを格納する手順を有する、センサ上の像のシフト量ｅを求める手段を有する、マイクロコンピュータ９６」の発明（以下、「引用発明２」という。）が、記載されている。
　
（４）対比
　本願補正発明と引用発明１とを比較する。
　
（ア）引用発明１の「一列に配列された多数の画素を有する左右の光検出器２３ａ、２３ｂ」は、本願補正発明の「複数の受光素子からなる一対のラインセンサ」に相当する。
　
（イ）引用発明１の「被検知物体で反射散乱された光」は、本願補正発明の「測距対象物からの光」に相当する。
　
（ウ）引用発明１の「一列に配列された多数の画素を有する左右の光検出器２３ａ、２３ｂに被検知物体で反射された光を結像させ、各画素からの画像信号ＧＬ、ＧＲを出力する光検出器２３ａ、２３ｂ」と、
本願補正発明の「複数の受光素子からなる一対のラインセンサに測距対象物からの光を結像させ、各受光素子から得られた信号を各受光素子ごとに積分して一対のセンサデータを生成するＡＦセンサ」とは、
複数の受光素子からなる一対のラインセンサに測距対象物からの光を結像させ、各受光素子から得られた信号から一対のセンサデータを生成するセンサの点で、共通する。
　
（エ）引用発明１の「光検出器２３ａ、２３ｂから出力された画像信号ＧＬ、ＧＲを前記光検出器２３ａ、２３ｂから得て、該画像信号ＧＬ、ＧＲを微分して、被検知物体のエッジ部分を示す被検知物体までの距離を求めるための微分画像信号ＤＧＬ、ＤＧＲを出力すると共に、該微分画像信号ＤＧＬ、ＤＧＲに基づいて画像ＧＬ、ＧＲどうしのずれ量Ｄを算出して、該ずれ量Ｄに基づいて被検知物体までの距離を距離データとして求める相関演算部２６」と、
本願補正発明の「ＡＦセンサによって生成された一対のセンサデータを前記ＡＦセンサから取得し、該取得した一対のセンサデータに基づいて前記ラインセンサにより撮像したセンサ像のコントラストを示す測距演算用の一対のＡＦデータを生成すると共に、該ＡＦデータに基づいて測距対象物の距離を算出する演算処理回路」とは、
センサによって生成された一対のセンサデータを前記センサから取得し、該取得した一対のセンサデータに基づいて、測距演算用の一対のデータを生成すると共に、該データに基づいて測距対象物の距離を算出する演算処理回路の点で、共通する。
　
（オ）引用発明１の「距離測定装置」は、本願補正発明の「測距装置」に相当する。
　
　したがって、本願補正発明と引用発明１の両者は、
「複数の受光素子からなる一対のラインセンサに測距対象物からの光を結像させ、各受光素子から得られた信号から一対のセンサデータを生成するセンサと、
　前記センサによって生成された一対のセンサデータを前記センサから取得し、該取得した一対のセンサデータに基づいて測距演算用の一対のデータを生成すると共に、該データに基づいて測距対象物の距離を算出する演算処理回路と、を備えた測距装置。」の点で一致し、以下の点で相違する。
　
［相違点１］
　本願補正発明では、「ＡＦセンサ」が、「各受光素子から得られた信号を各受光素子ごとに積分する」のに対し、引用発明１では、「光検出器２３ａ、２３ｂ」が、各画素から得られた信号を積分していない点。
　
［相違点２］
　本願補正発明における、測距対象物の距離を算出する演算処理回路は、
　測距演算用のデータを、「ラインセンサにより撮像したセンサ像のコントラストを示す測距演算用の一対のＡＦデータ」として生成し、
　かつ、該ＡＦデータを生成する手順として、
「前記ＡＦセンサから順次取得したセンサデータを一時的にメモリに格納し、該メモリに格納したセンサデータに基づいてＡＦデータを所定画素分離間したセンサデータの差分として生成すると、該生成したＡＦデータ以外のＡＦデータの生成に不要なセンサデータが格納されていたメモリに、該生成したＡＦデータ以外のＡＦデータを生成するために必要なセンサデータを格納する」手順を有しているのに対し、
　引用発明１における、被検知物体までの距離を距離データとして求める相関演算部２６は、
　被検知物体までの距離を求めるための画像のずれ量を算出するための信号を、「被検知物体のエッジ部分を示す被検知物体までの距離を求めるための微分画像信号」として出力しており、
　さらに、該微分画像信号は、画像信号を微分して出力されるものであって、その演算過程も異なる点。
　
（５）判断
［相違点１について］
　受光素子としてのＣＣＤ自体は例示するまでもなく周知技術であり、引用発明１のフォトダイオードをＣＣＤに置き換えることに、格別の困難性があるとはいえない。
　そして、引用刊行物２の記載事項１１にも見られるように、ＣＣＤ出力が積分出力であることは技術常識であるから、引用発明１において、フォトダイオードをＣＣＤに置き換えた場合、その出力は必然的に「積分した出力」となる。
　
　したがって、相違点１に係る本願補正発明の発明特定事項は、引用発明１及び周知技術に基づいて当業者が容易に想到し得る事項である。
　
［相違点２について］
　相違点２に係る本願補正発明の発明特定事項と、引用発明２とを対比すると、
　引用発明２の「撮影レンズのずれ量を求めるための一対の減算出力」は、本願補正発明の「測距対象物の距離を算出するのに用いられるデータ」に、
以下同様に、
「ラインセンサ１２、１４上における像のコントラストを示す出力であり、撮影レンズのずれ量を求めるために用いられる一対の減算出力」は「ラインセンサにより撮像したセンサ像のコントラストを示す測距演算用の一対のＡＦデータ」に、
「マイクロコンピュータ９６」は「演算処理回路」に、
「ラインセンサ１２、１４から順次取得した積分出力」は「ＡＦセンサから順次取得したセンサデータ」に、
「マイクロコンピュータ９６のバッファメモリ」は「メモリ」に、
「４画素分離間したセルの減算出力」は「所定画素分離間したセンサデータの差分」に、
「新たな遅延データ」は「該生成したＡＦデータ以外のＡＦデータを生成するために必要なセンサデータ」に、それぞれ相当する。
　
　したがって、引用発明２におけるマイクロコンピュータ９６は、
撮影レンズのずれ量という距離を求めるためのセンサ上の像のシフト量ｅを求めるための出力を、
「ラインセンサ１２、１４上における像のコントラストを示す出力であり、撮影レンズのずれ量を求めるために用いられる一対の減算出力」として求め、
　かつ、該減算出力を、
「ラインセンサ１２、１４から順次取得した積分出力を一時的にマイクロコンピュータ９６のバッファメモリに遅延データとして格納し、該バッファメモリに格納した遅延データに基づいて、減算出力を４画素分離間したセルの減算出力として生成すると、減算出力の生成に不要となった遅延データが格納されていたバッファメモリの領域に、新たな遅延データを格納する」手順によって算出するものであって、
相違点２に係る本願補正発明の発明特定事項である、演算処理回路の機能に相当する手順を備えたものである。
　
　そして、引用発明１と引用発明２とは、共に、二つの受光素子に結像されるそれぞれの画像のずれ量を演算し、該画像のずれ量に基づいて距離を測定する装置という点で、共通する。また、両者とも二つの受光素子を用いて画像信号を取得している点で共通する。
　してみれば、引用発明１において、被検知物体までの距離を求める際に、画像信号から得られる微分画像信号ＤＧＬ、ＤＧＲに基づいて画像ＧＬ、ＧＲどうしのずれ量Ｄを算出する手段に対し、引用発明２のマイクロコンピュータ９６が有する、撮影レンズのずれ量という距離を求める際の、ラインセンサの一対の積分出力から得られる一対の減算出力に基づいてセンサ上の像のシフト量ｅを演算する手段を適用することに、格別の困難性があるとはいえない。
　
　そして、引用発明１に引用発明２の手段を適用したものにおいて、
　引用発明１の相関演算部２６は、
　被検知物体までの距離を求めるための画像のずれ量を算出するための信号を、
「光検出器２３ａ、２３ｂから出力される画像のコントラストを示すデータ」として出力するものであり、
　かつ、該データを生成する手順が、
「光検出器２３ａ、２３ｂから得られた画像信号ＧＬ、ＧＲを一時的にメモリに格納し、該メモリに格納した画像信号ＧＬ、ＧＲに基づいて、データを４画素分離間した画像信号ＧＬ、ＧＲそれぞれの減算出力として生成すると、該生成したデータの生成に不要となったデータが格納されていたメモリに、該生成したデータ以外のデータを生成するために必要な画像信号ＧＬ、ＧＲを格納する」手順を有するものとなる。
　したがって、相違点２に係る本願補正発明の発明特定事項は、引用発明１及び引用発明２に基づいて当業者が容易に想到し得る事項である。
　
　そして、本願補正発明が奏する効果は、引用発明１、引用発明２及び周知技術から、当業者が予測し得る範囲内のものである。
　
　したがって、本願補正発明は、引用発明１、引用発明２及び周知技術に基づいて当業者が容易に発明をすることができたものである。
　
　よって、本願補正発明は、特許法第２９条第２項の規定により、特許出願の際独立して特許を受けることができない。
　
（６）まとめ
　以上のとおり、本件補正は、平成１８年法律第５５号改正附則第３条第１項によりなお従前の例によるとされる同法による改正前の特許法第１７条の２第５項において準用する同法第１２６条第５項の規定に違反するから、特許法第１５９条第１項において読み替えて準用する特許法第５３条第１項の規定により却下されるべきものである。
　
３　本願発明について
　
　本件補正は上記のとおり却下されたので、本願の請求項２に係る発明（以下、「本願発明」という。）は、補正１により補正された明細書及び図面の記載からみて、その特許請求の範囲の請求項２に記載された事項により特定されるものであり、その記載は、以下のとおりである。
　
「　　【請求項２】複数の受光素子からなる一対のラインセンサに測距対象物からの光を結像させ、各受光素子から得られた信号を各受光素子ごとに積分して一対のセンサデータを生成するＡＦセンサと、
　前記ＡＦセンサによって生成された一対のセンサデータを前記ＡＦセンサから取得し、
該取得した一対のセンサデータに基づいて前記ラインセンサにより撮像したセンサ像のコントラストを示す測距演算用の一対のＡＦデータを生成すると共に、該ＡＦデータに基づいて測距対象物の距離を算出する演算処理回路と、を備えた測距装置において、
　前記演算処理回路は、前記ＡＦセンサから順次取得したセンサデータを一時的にメモリに格納し、該メモリに格納したセンサデータに基づいてＡＦデータを生成すると、該生成したＡＦデータ以外のＡＦデータの生成に不要なセンサデータが格納されていたメモリに、該生成したＡＦデータ以外のＡＦデータを生成するために必要なセンサデータを格納することを特徴とする測距装置。」
　
（１）引用刊行物に記載された事項・引用発明
　原査定の拒絶の理由に引用された引用刊行物１及び引用刊行物２に記載された事項・引用発明は、上記「２（２）引用刊行物１に記載された事項・引用発明」及び「２（３）引用刊行物２に記載された事項・引用発明」に記載したとおりである。
　
（２）対比・判断
　本願発明は、本願補正発明の発明特定事項から、ＡＦデータの生成に関し、
「所定画素分離間したセンサデータの差分として」生成する、との限定事項を省いたものである。
　
　そうすると、本願発明の発明特定事項を全て含みさらに上記限定事項を付加したものに相当する本願補正発明が、上記「２．（５）判断」で検討したとおり、引用発明１、引用発明２及び周知技術に基づいて当業者が容易に発明をすることができたものであるから、本願発明も同様の理由により、引用発明１、引用発明２及び周知技術に基づいて当業者が容易に発明をすることができたものである。
　
（３）むすび
　以上のとおり、本願発明は、引用発明１、引用発明２及び周知技術に基づいて当業者が容易に発明をすることができたものであるから、特許法第２９条第２項の規定により特許を受けることができない。
　
　したがって、他の請求項に係る発明について審理するまでもなく、本願は拒絶すべきものである。
　
　よって、結論のとおり審決する。